(57)【要約】【課題】間仕切られた空間の遮蔽性を向上させながらも、パネル幅方向に沿って移動する際におけるパネル厚さ方向一方側から他方側の視認性を向上し得る間仕切パネル及びこれを用いた間仕切壁構造を提供する。【解決手段】間仕切パネル１は、パネル幅方向に間隔を空けて設けられた上下方向に延びる複数本の格子子状部１０を備えており、前記格子子状部は、パネル厚さ方向には互いの隙間１３を介してパネル厚さ方向一方側から他方側を視認不能でかつパネル厚さ方向に対して水平方向で傾斜した方向には互いの隙間を介してパネル厚さ方向一方側から他方側を視認可能な構成とされている。【選択図】図１
2020193543.tif 000002
【特許請求の範囲】
【請求項１】
パネル幅方向に間隔を空けて設けられた上下方向に延びる複数本の格子子状部を備えており、
前記格子子状部は、パネル厚さ方向には互いの隙間を介してパネル厚さ方向一方側から他方側を視認不能でかつパネル厚さ方向に対して水平方向で傾斜した方向には互いの隙間を介してパネル厚さ方向一方側から他方側を視認可能な構成とされていることを特徴とする間仕切パネル。
【請求項２】
請求項１において、
前記格子子状部は、平面視して平行四辺形状であることを特徴とする間仕切パネル。
【請求項３】
請求項１または２において、
パネル厚さ方向両面のうちの少なくとも一方面には、透光板が設けられていることを特徴とする間仕切パネル。
【請求項４】
請求項１乃至３のいずれか１項に記載の２枚の間仕切パネルを、コーナー部を形成するように互いに直交状に配し、かつそれぞれの前記格子子状部間の隙間が前記傾斜した方向に見て少なくとも一部が重なり合うように配設したことを特徴とする間仕切壁構造。
【発明の詳細な説明】
【技術分野】
【０００１】
本発明は、間仕切パネル及びこれを用いた間仕切壁構造に関する。
【背景技術】
【０００２】
従来より、住居等の建物内に設置され、建物内空間を区画する間仕切パネルが知られている。このような間仕切パネルとしては、下地桟等の両面に石膏ボード等の壁下地ボードを貼着した構成とされたものが一般的である。このようなパネルでは、パネル厚さ方向一方側から他方側の視認が不能であるため、例えば、廊下等のコーナー部に互いに逆側から向かう際や出入口等において出入りする際に、相手方が見えず、衝突し易くなることが考えられる。
例えば、下記特許文献１には、複数の縦材を並べて設けた格子ユニットを備えた間仕切パネルが開示されている。
【先行技術文献】
【特許文献】
【０００３】
【特許文献１】特開２０１０−１８９６３号公報
【発明の概要】
【発明が解決しようとする課題】
【０００４】
しかしながら、上記特許文献１に記載された間仕切パネルでは、縦材同士の隙間を介してパネル厚さ方向一方側から他方側の視認は可能となるが、パネル厚さ方向への視線を遮ることは困難であった。
【０００５】
本発明は、上記実情に鑑みてなされたものであり、間仕切られた空間の遮蔽性を向上させながらも、パネル幅方向に沿って移動する際におけるパネル厚さ方向一方側から他方側の視認性を向上し得る間仕切パネル及びこれを用いた間仕切壁構造を提供することを目的としている。
【課題を解決するための手段】
【０００６】
上記目的を達成するために、本発明に係る間仕切パネルは、パネル幅方向に間隔を空けて設けられた上下方向に延びる複数本の格子子状部を備えており、前記格子子状部は、パネル厚さ方向には互いの隙間を介してパネル厚さ方向一方側から他方側を視認不能でかつパネル厚さ方向に対して水平方向で傾斜した方向には互いの隙間を介してパネル厚さ方向一方側から他方側を視認可能な構成とされていることを特徴とする。
【０００７】
また、上記目的を達成するために、本発明に係る間仕切壁構造は、本発明に係る２枚の間仕切パネルを、コーナー部を形成するように互いに直交状に配し、かつそれぞれの前記格子子状部間の隙間が前記傾斜した方向に見て少なくとも一部が重なり合うように配設したことを特徴とする。
【発明の効果】
【０００８】
本発明に係る間仕切パネル及びこれを用いた間仕切壁構造は、上述のような構成としたことで、間仕切られた空間の遮蔽性を向上させながらも、パネル幅方向に沿って移動する際におけるパネル厚さ方向一方側から他方側の視認性を向上させることができる。
【図面の簡単な説明】
【０００９】
【図１】（ａ）、（ｂ）は、本発明の一実施形態に係る間仕切パネルの一例及びこれを用いた間仕切壁構造の一例を模式的に示し、（ａ）は、一部破断概略正面図、（ｂ）は、図１（ａ）におけるＸ−Ｘ線矢視に対応させた一部破断概略横断面図である。
【図２】（ａ）は、同間仕切パネルを用いた間仕切壁構造の他例を模式的に示す一部破断概略横断面図、（ｂ）は、本発明の他の実施形態に係る間仕切パネルの一例及びこれを用いた間仕切壁構造の一例を模式的に示す一部破断概略横断面図である。
【図３】（ａ）〜（ｄ）は、本発明の他の実施形態に係る間仕切パネルの一例及びこれを用いた間仕切壁構造の一例をそれぞれ模式的に示す一部を省略した概略横断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、各実施形態に係る間仕切パネルを設置した状態を基準として、上下方向等の方向を説明する。
【００１１】
図１及び図２（ａ）は、第１実施形態に係る間仕切パネルの一例並びにこれを用いた間仕切壁構造の一例及び他例を模式的に示す図である。
本実施形態に係る間仕切パネル１は、図１（ａ）、（ｂ）に示すように、パネル幅方向に間隔を空けて設けられた上下方向に延びる複数本の格子子状部１０を備えている。これら格子子状部１０は、パネル厚さ方向には互いの隙間１３を介してパネル厚さ方向一方側から他方側を視認不能でかつパネル厚さ方向に対して水平方向で傾斜した方向には互いの隙間１３を介してパネル厚さ方向一方側から他方側を視認可能な構成とされている。
【００１２】
上記のような構成とすれば、パネル厚さ方向一方側において間仕切パネル１に対面してパネル厚さ方向に見た際には、パネル厚さ方向他方側が見難くなり、間仕切られた空間の遮蔽性を向上させることができる。一方、パネル幅方向に沿って移動する際に、パネル厚さ方向に対して斜めに間仕切パネル１を見れば、パネル厚さ方向他方側を視認することができる。これにより、詳細については後述するが、図１（ｂ）及び図２（ａ）に示すように、この間仕切パネル１を、コーナー部を形成するように設置したり、出入口７の両側に設置したりすることで、他方側に人が存在すれば、その人の気配を感知することができる。この結果、いわゆる出会い頭的な衝突が生じることを抑制することができる。
【００１３】
この間仕切パネル１は、戸建住宅や集合住宅等の住宅に限られず、商業施設や福祉施設、公共施設等の建物内や建物外に設置されるものでもよい。
また、この間仕切パネル１は、略矩形平板状とされている。この間仕切パネル１は、パネル高さ方向（上下方向）に長尺状とされたものでもよい。この間仕切パネル１の上下方向に沿う寸法は、床２から天井３までの天井高に応じた寸法であってもよい。また、この間仕切パネル１の壁幅方向に沿うパネル幅寸法は、取扱性や施工性の観点、間仕切られた空間の遮蔽性を向上させながらも、パネル幅方向に沿って移動する際における他方側の視認性を確保する観点等から適宜の寸法としてもよい。この間仕切パネル１のパネル幅寸法は、例えば、４００ｍｍ〜２０００ｍｍ程度であってもよい。また、この間仕切パネル１の壁厚方向に沿うパネル厚さ寸法は、上記同様な観点や軽量化を図る観点等から適宜の寸法としてもよく、また、隣接される間仕切壁４，５の壁厚に応じた寸法としてもよく、例えば、４０ｍｍ〜２００ｍｍ程度であってもよい。
【００１４】
また、本実施形態では、当該間仕切パネル１のパネル厚さ方向両面のうちの少なくとも一方面に、透光板１５を設けた構成としている。このような構成とすれば、遮音性や断熱性、防湿性等を向上させることができる。本実施形態では、当該間仕切パネル１のパネル厚さ方向両面のそれぞれに透光板１５，１５を設けた構成としている。このような構成とすれば、遮音性や断熱性等をより効果的に向上させることができる。また、格子子状部１０がパネル厚さ方向両面側において露出することがないので、格子子状部１０間の隙間１３に埃等が溜まるようなことを抑制することができる。
これら透光板１５，１５は、当該間仕切パネル１のパネル厚さ方向の各面の略全面に亘って設けられている。これら透光板１５，１５は、アクリルやポリカーボネート等の合成樹脂系材料や、ガラス等の透光性材料から形成されたものでもよい。これら透光板１５，１５は、格子子状部１０間の隙間１３を介してパネル厚さ方向一方側から他方側の人の気配が感知できる程度の透光性を有したものであればよく、略無色透明とされたものに限られず、有色透明とされたものや半透明とされたものでもよい。
【００１５】
複数本の格子子状部１０は、当該間仕切パネル１のパネル厚さ方向一方側からパネル厚さ方向に見た際には、隣り合う格子子状部１０，１０同士にパネル厚さ方向で互いに重なり合う部位が生じ、パネル厚さ方向他方側の視認が不能となるように設けられている。また、これら格子子状部１０は、当該間仕切パネル１のパネル厚さ方向一方側からパネル厚さ方向に対して水平方向で傾斜した方向に見た際には、隣り合う格子子状部１０，１０同士の隙間１３を介してパネル厚さ方向他方側の視認が可能となるように設けられている。
これら格子子状部１０は、本実施形態では、図１（ａ）に示すように、当該間仕切パネル１のパネル高さ方向の略全体に亘って設けられている。つまり、これら格子子状部１０の長さ寸法を、間仕切パネル１のパネル高さ寸法と略同寸法としている。
【００１６】
これら格子子状部１０は、間仕切パネル１の上端部及び下端部のそれぞれにパネル幅方向に延びるように設けられた上桟及び下桟に上下端部が接合されたものでもよい。または、格子子状部１０の上下端部が上桟部及び下桟部に一体的に形成されたものでもよい。
なお、これら格子子状部１０を、間仕切パネル１のパネル高さ方向の略全体に亘って設けた態様に代えて、間仕切パネル１の高さ方向途中部位のみに設けた構成としてもよい。この場合は、当該間仕切パネル１の設置箇所にもよるが、例えば、これら格子子状部１０を、床２から１０００ｍｍ程度の高さ位置から１８００ｍｍ程度の高さ位置に至るように設けた構成等としてもよい。
【００１７】
また、これら格子子状部１０は、本実施形態では、平面視して平行四辺形状とされている。このような構成とすれば、各格子子状部１０の一方組の平行な対辺を構成する平坦面がパネル厚さ方向両側を向く外向き面１１，１１となる。これにより、上記したように、パネル厚さ方向両面のうちの少なくとも一方面に透光板１５を設ける場合に、透光板１５を安定的に固定することができる。また、各格子子状部１０の他方組の平行な対辺を構成する平坦面が格子子状部１０，１０同士の隙間１３を区画する傾斜面１２，１２となり、これらが平行状となる。これにより、パネル幅方向に沿って一方側に向けて移動する際には、パネル厚さ方向他方側を視認可能となるが、パネル幅方向に沿って他方側に向けて移動する際には、パネル厚さ方向他方側を視認し難い構成となる。この結果、コーナー部を形成するように２枚の間仕切パネル１，１を設置すれば、これらによって区画される第１室６内側の入隅部や他方側の間仕切パネル１のコーナー部の外側の視認は可能となるが、第１室６内中央側の遮蔽性を向上させることができる。
【００１８】
また、これら格子子状部１０は、本実施形態では、互いに同様の構成とされている。これら格子子状部１０の底辺となる外向き面１１，１１のパネル幅方向に沿う底辺寸法Ｗは、上記同様、遮蔽性を向上させる観点や視認性を確保する観点等から適宜の寸法としてもよく、例えば、２０ｍｍ〜１００ｍｍ程度としてもよい。また、これら格子子状部１０のパネル厚さ方向に沿う高さ寸法Ｈは、上記同様な観点等から適宜の寸法としてもよく、例えば、２０ｍｍ〜２００ｍｍ程度であってもよい。これら格子子状部１０の高さ寸法Ｈは、底辺寸法Ｗの０．８倍〜１．２倍程度の寸法であってもよく、図例では、底辺寸法Ｗと略同寸法とした例を示している。
【００１９】
また、格子子状部１０の外向き面１１と傾斜面１２との鋭角側のなす角度（格子角度）θは、上記同様、遮蔽性を向上させる観点や視認性を確保する観点等から適宜の角度としてもよい。この格子角度θは、例えば、３５°〜５５°程度としてもよく、好ましくは、３８°〜５２°程度としてもよい。
また、隣り合う格子子状部１０，１０間の隙間１３のパネル幅方向に沿う隙間寸法Ｇは、格子角度θや高さ寸法Ｈに応じて、また、上記同様、遮蔽性を向上させる観点や視認性を確保する観点等から適宜の寸法としてもよい。この隙間寸法Ｇは、例えば、１０ｍｍ〜１００ｍｍ程度としてもよく、好ましくは、１５ｍｍ〜６０ｍｍ程度としてもよい。
【００２０】
なお、各格子子状部１０は、木質系材料や合成樹脂系材料、金属系材料等から形成されたものでもよい。
また、図例では、間仕切パネル１のパネル幅方向両側端面においてパネル幅方向両側端部に位置する各格子子状部１０，１０の傾斜面１２，１２を露出させた例を示しているが、このような態様に限られない。間仕切パネル１のパネル幅方向両側端面がパネル厚さ方向及び上下方向に対して直交する方向に向く面となるように、パネル幅方向両側端部に適宜、四角柱状の縦桟を設けたり、パネル幅方向両側端部の各格子子状部１０，１０を変形したりしてもよい。
【００２１】
本実施形態に係る間仕切壁構造は、図１（ｂ）に示すように、２枚の間仕切パネル１，１を、コーナー部を形成するように互いに直交状に配した構造とされている。また、同間仕切壁構造は、これら間仕切パネル１，１のそれぞれの格子子状部１０，１０間の隙間１３，１３が傾斜した方向に見て少なくとも一部が重なり合うように配設した構造とされている。このような構成とすれば、一方の間仕切パネル１のパネル幅方向に沿って移動する際に、この間仕切パネル１を斜めに見れば、コーナー部を形成する各間仕切パネル１，１の隙間１３，１３を介して移動方向先側となる他方側の廊下等の空間を視認することができる。
【００２２】
本実施形態では、上記した互いに同様の構成とされた２枚の間仕切パネル１，１を、第１室６の入隅部となるコーナー部を形成するように配した構造としている。また、これら２枚の間仕切パネル１，１の突き合わせ側のパネル幅方向の側端面において露出する格子子状部１０，１０の傾斜面１２，１２によってコーナー部の出隅部に面取状部を設けた構成としている。なお、このような態様に代えて、この出隅部が角張った形状となるように、上記のように間仕切パネル１を適宜、変形したり、適宜の出隅部材を設けたりしてもよい。
【００２３】
また、これら２枚の間仕切パネル１，１のうちの一方の第１間仕切パネル１Ａの反コーナー部側に、第１間仕切壁４を隣接させて連続状に設けた構造としている。また、他方の第２間仕切パネル１Ｂの反コーナー部側に、第２間仕切壁５を隣接させて連続状に設けた構造としている。
これら第１間仕切壁４及び第２間仕切壁５は、本実施形態に係る間仕切パネル１のような格子子状部１０を備えたものではなく、一般的な壁下地に石膏ボード等の壁下地ボードを貼着して構築されたものでもよく、パネル化されたものであってもよい。つまりは、これら第１間仕切壁４及び第２間仕切壁５は、壁厚方向及び斜め方向のいずれに見た際にも、壁厚方向一方側から他方側を視認不能な構成とされている。
【００２４】
図２（ａ）は、本実施形態に係る間仕切パネル１を用いた他の間仕切壁構造の一例を模式的に示している。
同間仕切壁構造は、互いに同様の構成とされた２枚の間仕切パネル１，１を、出入口７の開口幅方向両側を区画するように、壁幅方向に間隔を空けて設けた構造とされている。このような構成とすれば、一方の間仕切パネル１のパネル幅方向に沿って出入口７側に向けて移動する際に、この間仕切パネル１を斜めに見れば、この間仕切パネル１の隙間１３を介して出入口７の室内側を視認することができる。
また、これら２枚の間仕切パネル１，１を、互いの格子子状部１０，１０の傾斜面１２，１２が非平行状となる向きに設置した構造としている。また、出入口７の開口幅方向両側の内側面を、２枚の間仕切パネル１，１の対向状に配された格子子状部１０，１０の各傾斜面１２，１２によって壁厚方向一方側に向けて拡開する傾斜面とした例を示している。
【００２５】
また、一方の第１間仕切パネル１Ａの反出入口側に、第１間仕切壁４Ａを隣接させて連続状に設け、他方の第２間仕切パネル１Ｂの反出入口側に、第２間仕切壁５Ａを隣接させて連続状に設けた構造としている。
なお、出入口７を開閉する引戸や開き戸、折れ戸等の適宜の建具を設けた構成としてもよい。また、本実施形態に係る間仕切パネル１を用いた間仕切壁構造としては、上記したような構造に限られず、その他、種々の変形が可能である。例えば、２枚の間仕切パネル１，１によってコーナー部を形成したり、出入口７を形成したりする態様に代えて、１枚の間仕切パネル１を適所に設けた構造等としてもよい。
【００２６】
図２（ｂ）は、第２実施形態に係る間仕切パネル及びこれを用いた間仕切壁構造の一例を模式的に示している。なお、上記した例との相違点について主に説明し、同様の構成については、同一の符号を付し、その説明を省略または簡略に説明する。
本実施形態に係る間仕切パネル１Ｃは、格子子状部１０Ａの構成が上記第１実施形態とは主に異なる。本実施形態では、各格子子状部１０Ａを、平面視して三角形状としている。また、各格子子状部１０Ａを、底辺となる外向き面１１Ａがパネル厚さ方向に向くように設けられた平面視して二等辺三角形状としている。また、各格子子状部１０の底辺となる外向き面１１Ａと斜辺となる傾斜面１２Ａとのなす角（格子角度）を、４５°程度としている。つまり、各格子子状部１０を、平面視して直角二等辺三角形状としている。なお、このような態様に代えて、格子角度を上記第１実施形態において説明したように適宜の角度としてもよい。
【００２７】
また、複数本の格子子状部１０Ａを、外向き面１１Ａが交互にパネル厚さ方向逆側に向くように設けた構成としている。つまり、格子子状部１０Ａ，１０Ａ同士の隙間１３，１４が交互に逆側に傾斜する構成とされている。
このような２枚の間仕切パネル１Ａ，１Ａを、上記同様、コーナー部を形成するように配設すれば、互いの一方の隙間１３，１３同士は、傾斜した方向に見て少なくとも一部が重なり合うが、他方の隙間１４，１４同士は、逆側に傾斜するため、重なり合うことがない。なお、この場合、一方の隙間１３よりも他方の隙間１４を小さくしてもよい。また、この間仕切パネル１Ａは、コーナー部を形成するものに限られず、上記同様、出入口７を形成するものでもよく、その他、種々の態様で設置されるものでもよい。
また、上記各実施形態では、格子子状部１０，１０Ａを、平面視して平行四辺形状や三角形状とした例を示しているが、このような態様に限られず、平面視して台形状とされたものや、その他、種々の形状とされたものでもよい。
【００２８】
次に、間仕切パネルを用いた間仕切壁構造の一例について、図３及び表１を参照しながら説明する。なお、以下の例では、図３（ａ）〜（ｄ）に示すように、上記第１実施形態と同様、各間仕切パネルの格子子状部を平面視して平行四辺形状としている。また、以下の例では、間仕切パネルに透光板を設けていない例を示しているが、透光板を設けた構成としてもよい。また、以下の例では、図３に示すように、互いに同様の構成とされた２枚の間仕切パネルを、コーナー部を形成するように設けた構造とし、図３では、各間仕切パネルのコーナー部側の側端部のみを図示している。また、表１における評価は、一例に過ぎず、設置箇所や用途、各間仕切パネルの配設態様、隙間寸法Ｇ等によっては、総合評価が×（不可）のものも実施形態となり得る。
【００２９】
第１例では、図３（ａ）及び表１に示すように、各間仕切パネル１Ｄの格子子状部１０の格子角度θ１を４５°、底辺寸法Ｗを５０ｍｍ、高さ寸法Ｈを５０ｍｍ、隙間寸法Ｇを２０ｍｍとした。
第２例では、表１に示すように、隙間寸法Ｇを３０ｍｍとしたこと以外は第１例と同様とした。
第３例では、表１に示すように、隙間寸法Ｇを４０ｍｍとしたこと以外は第１例と同様とした。
【００３０】
第４例では、図３（ｂ）及び表１に示すように、各間仕切パネル１Ｅの格子子状部１０Ｂの格子角度θ２を３９°、底辺寸法Ｗを５０ｍｍ、高さ寸法Ｈを５０ｍｍ、隙間寸法Ｇを２０ｍｍとした。
第５例では、表１に示すように、隙間寸法Ｇを３０ｍｍとしたこと以外は第４例と同様とした。
第６例では、表１に示すように、隙間寸法Ｇを４０ｍｍとしたこと以外は第４例と同様とした。
【００３１】
第７例では、図３（ｃ）及び表１に示すように、各間仕切パネル１Ｆの格子子状部１０Ｃの格子角度θ３を５１°、底辺寸法Ｗを５０ｍｍ、高さ寸法Ｈを５０ｍｍ、隙間寸法Ｇを２０ｍｍとした。
第８例では、表１に示すように、隙間寸法Ｇを３０ｍｍとしたこと以外は第７例と同様とした。
第９例では、表１に示すように、隙間寸法Ｇを４０ｍｍとしたこと以外は第７例と同様とした。
【００３２】
第１０例では、図３（ｄ）及び表１に示すように、各間仕切パネル１Ｇの格子子状部１０Ｄの格子角度θ４を３３°、底辺寸法Ｗを５０ｍｍ、高さ寸法Ｈを５０ｍｍ、隙間寸法Ｇを２０ｍｍとした。
第１１例では、表１に示すように、隙間寸法Ｇを３０ｍｍとしたこと以外は第１０例と同様とした。
第１２例では、表１に示すように、隙間寸法Ｇを４０ｍｍとしたこと以外は第１０例と同様とした。
【００３３】
上記構成とされた第１例〜第１２例の間仕切壁構造を、定量的及び人間工学的な見地からコーナー部における視認性及びパネル厚さ方向に見た際における遮蔽性について推定し、評価した。
＜人の気配評価＞
コーナー部を形成する一方の間仕切パネルの出隅側に立ち、斜めに見た際における両間仕切パネルの隙間を介したコーナー部他方側の空間の視認性について評価した。この評価においては、一方の間仕切パネルに対して水平方向で他方の間仕切パネル側となる斜め４５°に見た状態で、コーナー部を形成する間仕切パネル同士の隙間の重なり合う幅が、５ｍｍ未満となるものを×（不可）、５ｍｍ以上、１０ｍｍ未満となるものを△（可）、１０ｍｍ以上となるものを〇（良）とした。つまり、斜め４５°に見た際に連通するように設けられる、コーナー部の間仕切パネル同士の隙間の重なり合う幅が大きいほど斜めに見た際における両間仕切パネルの隙間を介したコーナー部他方側の空間の視認性が良好であると推定して評価した。
＜プライバシー評価＞
パネル厚さ方向に見て少なくとも一部が重なり合う隣り合う格子子状部同士の隙間を介したパネル厚さ方向一方側からパネル厚さ方向に見た際における他方側の空間の視認性について評価した。隣り合う格子子状部の鋭角側の頂点同士を結ぶ直線とパネル厚さ方向に沿う直線とのなす角度が１０°未満となるものを×（不可）、１０°以上、１５°未満となるものを△（可）、１５°以上となるものを〇（良）とした。つまり、パネル厚さ方向に沿う直線に対する隣り合う格子子状部の鋭角側の頂点同士を結ぶ直線の傾斜角度が大きいほどパネル厚さ方向一方側からパネル厚さ方向に見た際における他方側の空間の遮蔽性が良好であると推定して評価した。
【表１】
2020193543.tif 000003
表１に示すように、第１例〜第８例及び第１２例については、いずれも良好な評価となった。また、特に、第１例、第２例、第５例及び第６例は、より良好な評価となった。また、第９例では、コーナー部において斜めに見た際における人の気配の感知は可能な評価となったが、パネル厚さ方向に見た際における遮蔽性が低い評価となった。また、第１０例及び第１１例では、パネル厚さ方向に見た際における遮蔽性については良好な評価となったが、コーナー部において斜めに見た際における人の気配の感知がし難い評価となった。
【符号の説明】
【００３４】
１，１Ｃ〜１Ｇ        間仕切パネル
１Ａ                  第１間仕切パネル（間仕切パネル）
１Ｂ                  第２間仕切パネル（間仕切パネル）
１０，１０Ａ〜１０Ｄ  格子子状部
１３                  隙間
１５                  透光板
【図１】
2020193543.tif 000004
【図２】
2020193543.tif 000005
【図３】
2020193543.tif 000006